(57)【特許請求の範囲】
【請求項１】
上端に開口部を有し、前後方向に並列された複数の収納部を有する袋状部と、
前記袋状部の幅方向における一端からのびて形成される一方の補強部材と、
前記袋状部の幅方向における他端からのびて形成される他方の補強部材とを有し、
前記袋状部は、収納部の胴部を形成する第１主面部及び前記第１主面部と対向する第２主面部と、前記開口部とは離れた位置に形成された底縁部と、前記底縁部の両端と前記開口部との間に形成された側縁部と、前記第１主面部の開口部側の端縁である第１開口縁部と、前記第２主面部の開口部側の端縁である第２開口縁部とを有し、
前記第１主面部と前記第２主面部は、底縁部で連設され、
前記複数の袋状部のうちの１つの袋状部と前記１つの袋状部に隣接する袋状部は、前記袋状部の第１主面部の第１開口縁部と、前記１つの袋状部に隣接する袋状部の第２主面部の第２開口縁部とにおいて連設され、
前記一方の補強部材及び他方の補強部材は、開口部側の端縁を有する長さ方向を備え、
前記一方の補強部材は、前記第１主面部及び／又は前記第２主面部の一方の側縁部で連設され、前記一方の側縁部で連設された主面部と対向する主面部の収納部とは反対側に位置し、
前記他方の補強部材は、前記一方の側縁部で連設された主面部の他方の側縁部で連設され、前記他方の側縁部において、前記他方の側縁部で連設された主面部と対向する主面部の収納部とは反対側に位置し、
前記一方の補強部材及び前記他方の補強部材は、前記補強部材を連設された主面部と対向する主面部の収納部とは反対側において、重ね合わせられ、
前記一方の補強部材の開口部側の端縁又は前記他方の補強部材の開口部側の端縁は、前記補強部材を連設された主面部と対向する主面部の収納部とは反対側において、その長さ方向が、主面部の開口縁部に沿ってのびて開口縁部の近傍に位置する、収納具。
【請求項２】
前記一方の補強部材は、前記他方の補強部材に係合可能に形成されており、
前記一方の補強部材及び前記他方の補強部材は、前記補強部材を連設された主面部と対向する主面部の収納部とは反対側において、重ね合わせられ係合される、請求項１に記載の収納具。
【請求項３】
前記主面部の開口縁部は、前記一方の補強部材の開口部側の端縁及び／又は前記他方の補強部材の開口部側の端縁と正面視において重なる、請求項１又は請求項２に記載の収納具。
【請求項４】
前記主面部の開口部側の端縁は、直線状であって、正面視して一直線上にあり、
前記一方の補強部材の開口部側の端縁及び前記他方の補強部材の開口部側の端縁は、直線状であって、正面視して一直線上にあり、
前記一方の補強部材の開口部側の端縁及び前記他方の補強部材の開口部側の端縁は、前記主面部の開口縁部と平行である、請求項１ないし請求項３のいずれかに記載の収納具。
【請求項５】
前記一方の補強部材及び前記他方の補強部材は、それぞれ、前記側縁部から連続された、略方形状又は略台形状の側縁補強部と、前記側縁補強部から連続された、略帯状の上縁補強部とから構成され、
前記側縁補強部の開口部側端及び上縁補強部の開口部側端は、連続した長さ方向を備え、
前記上縁補強部は、正面視して、前記第２主面部の開口部側の端縁から一定の領域を覆う幅を有する、請求項１ないし請求項４のいずれかに記載の収納具。
【請求項６】
前記一方の補強部材及び前記他方の補強部材は、同形・同大であり、前記袋状部の幅方向における中央の部分において互いに係合可能に形成される、請求項１ないし請求項５のいずれかに記載の収納具。
【請求項７】
前記主面部は、略方形状又は台形状であり、
前記第１主面部と前記第２主面部とは、それらを連設する前記底縁部を中心に略々対称である、請求項１ないし請求項６のいずれかに記載の収納具。
【発明の詳細な説明】
【技術分野】
【０００１】
この発明は収納具に関し、特に、上端に開口を有し、幅方向に間隔を隔てて配置された複数の収納部を有する袋状部と、袋状部の幅方向における一端からのびて形成された補強部材と、袋状部の幅方向における他端からのびて形成された他方の補強部材とを有し、例えば銀行などで発行される預金通帳などを袋状部の収納部に収納することができる、収納具に関する。
【背景技術】
【０００２】
この発明の背景となる従来の収納具の一例が、例えば特開平９−１８０６４８号公報に開示されている（特許文献１参照）。特許文献１の図１には、特許文献１に開示されている小物収容具の収容部の構造の展開状態が示されている。
特許文献１に開示されている小物収容具の収容部は、基材を略長方形状の本体部の一辺及びその対向する辺に沿ってそれぞれ互い違いに突出片を複数個設けた形状にしており、また、この基材を長手方向に谷と山を交互に形成してＶ字状の波形に折り曲げ、さらに前記各突出片を内側に折り曲げて対向する面の外側を支えることにより、複数の収容部が蛇腹状に形成されている。
また、実開平３−７２４８４号公報には、一枚のシート体を展開自在に折り上げ、かつ、隣接する互いの仕切袋を着脱自在に接合させて多層仕切袋を形成した多層仕切収納具が開示されている。
【先行技術文献】
【特許文献】
【０００３】
【特許文献１】特開平９−１８０６４８号公報
【特許文献２】実開平３−７２４８４号公報
【発明の概要】
【発明が解決しようとする課題】
【０００４】
ところが、このような従来の収納具では、収納部の開口を開いたときに、収容部の両側が内側に変形してしまい、さまざまな悪影響を及ぼすおそれがある。
【０００５】
それゆえに、この発明の主たる目的は、開口部を開いたときの変形による悪影響を緩和することができる、収納具を提供することである。
【課題を解決するための手段】
【０００６】
請求項１に係る発明は、上端に開口部を有し、前後方向に並列された複数の収納部を有する袋状部と、前記袋状部の幅方向における一端からのびて形成される一方の補強部材と、前記袋状部の幅方向における他端からのびて形成される他方の補強部材とを有し、前記袋状部は、収納部の胴部を形成する第１主面部及び前記第１主面部と対向する第２主面部と、前記開口部とは離れた位置に形成された底縁部と、前記底縁部の両端と前記開口部との間に形成された側縁部と、前記第１主面部の開口部側の端縁である第１開口縁部と、前記第２主面部の開口部側の端縁である第２開口縁部とを有し、前記第１主面部と前記第２主面部は、底縁部で連設され、前記複数の袋状部のうちの１つの袋状部と前記１つの袋状部に隣接する袋状部は、前記袋状部の第１主面部の第１開口縁部と、前記１つの袋状部に隣接する袋状部の第２主面部の第１開口縁部とにおいて連設され、前記一方の補強部材及び他方の補強部材は、開口部側の端縁を有する長さ方向を備え、前記一方の補強部材は、前記第１主面部及び／又は前記第２主面部の一方の側縁部で連設され、前記一方の側縁部で連設された主面部と対向する主面部の収納部とは反対側に位置し、前記他方の補強部材は、前記一方の側縁部で連設された主面部の他方の側縁部で連設され、前記他方の側縁部において、前記他方の側縁部で連設された主面部と対向する主面部の収納部とは反対側に位置し、前記一方の補強部材の開口部側の端縁又は前記他方の補強部材の開口部側の端縁は、前記補強部材を連設された主面部と対向する主面部の収納部とは反対側において、その長さ方向が、主面部の開口縁部に沿ってのびて開口縁部の近傍に位置する、収納具である。
請求項２に係る発明は、前記一方の補強部材は、前記他方の補強部材に係合可能に形成されており、前記一方の補強部材及び前記他方の補強部材は、前記補強部材を連設された主面部と対向する主面部の収納部とは反対側において、重ね合わさって係合される、請求項１に記載の収納具である。
請求項３に係る発明は、前記主面部の開口縁部は、前記一方の補強部材の開口部側の端縁及び／又は前記他方の補強部材の開口部側の端縁と正面視において重なる、請求項１又は請求項２に記載の収納具である。
請求項４に係る発明は、前記主面部の開口部側の端縁は、直線状であって、正面視して一直線上にあり、前記一方の補強部材の開口部側の端縁及び前記他方の補強部材の開口部側の端縁は、直線状であって、正面視して一直線上にあり、前記一方の補強部材の開口部側の端縁及び前記他方の補強部材の開口部側の端縁は、前記主面部の開口縁部と平行である、請求項１ないし請求項３のいずれかに記載の収納具である。
請求項５に係る発明は、前記一方の補強部材及び前記他方の補強部材は、それぞれ、前記側縁部から連続された、略方形状又は略台形状の側縁補強部と、前記側縁補強部から連続された、略帯状の上縁補強部とから構成され、前記側縁補強部の開口部側端及び上縁補強部の開口部側端は、連続した長さ方向を備え、前記上縁補強部は、正面視して、前記第２主面部の開口部側の端縁から一定の領域を覆う幅を有する、請求項１ないし請求項４のいずれかに記載の収納具である。
請求項６に係る発明は、前記一方の補強部材及び前記他方の補強部材は、同形・同大であり、前記袋状部の幅方向における中央の部分において互いに係合可能に形成される、請求項１ないし請求項５のいずれかに記載の収納具である。
請求項７に係る発明は、前記主面部は、略方形状又は台形状であり、前記第１主面部と前記第２主面部とは、それらを連設する前記底縁部を中心に略々対称である、請求項１ないし請求項６のいずれかに記載の収納具である。
【発明の効果】
【０００７】
この発明に係る収納具によれば、上端に開口部を有し、前後方向に並列された複数の収納部を有する袋状部と、前記袋状部の幅方向における一端からのびて形成される一方の補強部材と、前記袋状部の幅方向における他端からのびて形成される他方の補強部材とを有し、前記袋状部は、収納部の胴部を形成する第１主面部及び前記第１主面部と対向する第２主面部と、前記開口部とは離れた位置に形成された底縁部と、前記底縁部の両端と前記開口部との間に形成された側縁部と、前記第１主面部の開口部側の端縁である第１開口縁部と、前記第２主面部の開口部側の端縁である第２開口縁部とを有し、前記第１主面部と前記第２主面部は、底縁部で連設され、前記複数の袋状部のうちの１つの袋状部と前記１つの袋状部に隣接する袋状部は、前記袋状部の第１主面部の第１開口縁部と、前記１つの袋状部に隣接する袋状部の第２主面部の第１開口縁部とにおいて連設され、前記一方の補強部材及び他方の補強部材は、開口部側の端縁を有する長さ方向を備え、前記一方の補強部材は、前記第１主面部及び／又は前記第２主面部の一方の側縁部で連設され、前記一方の側縁部で連設された主面部と対向する主面部の収納部とは反対側に位置し、前記他方の補強部材は、前記一方の側縁部で連設された主面部の他方の側縁部で連設され、前記他方の側縁部において、前記他方の側縁部で連設された主面部と対向する主面部の収納部とは反対側に位置し、前記一方の補強部材の開口部側の端縁又は前記他方の補強部材の開口部側の端縁は、前記補強部材を連設された主面部と対向する主面部の収納部とは反対側において、その長さ方向が、主面部の開口縁部に沿ってのびて開口縁部の近傍に位置する、収納具であるので、開口部の端縁が、１つの袋状部の第１主面部と、前記１つの袋状部と隣接する袋状部の前記第１主面部と隣接した第２主面部との２つの主面部以外に、当該二つの袋状部の間であって、開口縁部の近傍に補強部材が位置するため、開口部の端縁の強度が上がり、前記収納具の開口部を開いたときに、１つの袋状部と前記１つの袋状部に隣接する袋状部とを連設する開口縁部がよれることなく、その直線状態が保持される。したがって、被収納物に影響を与えない範囲での開閉が可能である。
また、補強部材が係合している隣接する袋状部の間は、開口部側からは見ることができない部分であるため、被収納物を収納具に出し入れするときに、邪魔にならず、開口部側からの見た目にも影響を与えない。
また、収納具の収納部分を構成する袋状部及び補強部材が、全て連設された一つの基材から形成される構造であるため、収納具製造時の組み立てが容易である。
請求項２に係る発明によれば、前記一方の補強部材は、前記他方の補強部材に係合可能に形成されており、前記一方の補強部材及び前記他方の補強部材は、前記補強部材を連設された主面部と対向する主面部の収納部とは反対側において、重ね合わさって係合されるので、袋状部の第１主面部と第２主面部の対向された状態が、前記第１主面部の裏側で係合された一方の補強部材及び他方の第２補強部材によって、保持され、袋状部の開口部の開口範囲を制限する。これにより、袋状部の開口部の開口範囲が制限されていることにより、その直線状態が保持された範囲で収納具の開口部を開閉できる。
請求項３に係る発明によれば、前記一方の補強部材は、前記他方の補強部材に係合可能に形成されており、前記一方の補強部材及び前記他方の補強部材は、前記補強部材を連設された主面部と対向する主面部の収納部とは反対側において、重ね合わさって係合されるので、被収納物の入り口にあたる収納具の開口縁部分の強度が上がるため、開口部の直線状態を保持することができ、物を出し入れしやすくなる。
請求項４に係る発明によれば、前記主面部の開口部側の端縁は、直線状であって、正面視して一直線上にあり、前記一方の補強部材の開口部側の端縁及び前記他方の補強部材の開口部側の端縁は、直線状であって、正面視して一直線上にあり、前記一方の補強部材の開口部側の端縁及び前記他方の補強部材の開口部側の端縁は、前記主面部の開口縁部と平行であるので、収納具の開口部を開いたときに、主面部の左右で均等に力が働き、左右で力が偏ることがないため、開口縁部分の直線状態が保持されやすい。
請求項５に係る発明によれば、前記一方の補強部材及び前記他方の補強部材は、それぞれ、前記側縁部から連続された、略方形状又は略台形状の側縁補強部と、前記側縁補強部から連続された、略帯状の上縁補強部とから構成され、前記側縁補強部の開口部側端及び上縁補強部の開口部側端は、連続した長さ方向を備え、前記上縁補強部は、正面視して、前記第２主面部の開口部側の端縁から一定の領域を覆う幅を有するので、収納具の開口部を開いたときに、主面部の開口部側の端縁から一定の領域の水平面が保持されやすく、被収納物を収納具に出し入れしやすくなる。
請求項６に係る発明によれば、前記一方の補強部材及び前記他方の補強部材は、同形・同大であり、前記袋状部の幅方向における中央の部分において互いに係合可能に形成されるので、収納具の厚みが、収納具を正面視して左右対称となり、どちらか一方に偏った厚みになることを避けることができる。
【０００８】
この発明の上述の目的、その他の目的、特徴及び利点は、図面を参照して行う以下の発明を実施するための形態の説明から一層明らかとなろう。
【図面の簡単な説明】
【０００９】
【図１】この発明の第１の実施の形態の収納具の収納部の構造の展開状態を示す斜視    図解図である。
【図２】この発明の第１の実施の形態の収納具の収容部を閉じた状態を示す斜視図解    図である。
【図３】（Ａ）は収納部の正面図解図であり、（Ｂ）は平面図解図である。
【図４Ａ】収納部の斜視図解図である。
【図４Ｂ】収納部の平面図解図である。
【図５】収納部の正面図解図である。
【図６】収納部の背面図解図である。
【図７】収納部材の展開状態を示す平面図解図である。
【図８】収納部材の展開状態を示す拡大平面図解図である。
【図９】収納部材の展開状態を示す拡大平面図解図である。
【図１０】収納部材により収納部を組み立てる方法を示す斜視図解図である。
【図１１】収納部材により収納部を組み立てる方法を示す斜視図解図である。
【図１２】収納部材により収納部を組み立てる方法を示す斜視図解図である。
【図１３】収納部材により収納部を組み立てる方法を示す斜視図解図である。
【図１４】図１図示収納具の変形例の収納部材の展開状態を示す平面図解図である。
【図１５Ａ】図１図示収納具の変形例の収納部材の展開状態を示す拡大平面図解図である。
【図１５Ｂ】図１図示収納具の変形例の収納部材の展開状態を示す拡大平面図解図である。
【図１６】表紙部に収納部を固定する方法を示す平面図解図である。
【図１７】この発明にかかる実施の形態の収納具の表紙体の斜視図解図である。
【図１８】表紙部を組み立てる方法を示す平面図解図である。
【図１９】表紙部を組み立てる方法を示す平面図解図である。
【図２０】表紙部を組み立てる方法を示す断面図解図である。
【図２１】表紙部を組み立てる方法を示す断面図解図である。
【図２２】表胴部及び面状ファスナと裏胴部及び面状ファスナとの関係を示す断面図    解図である。
【発明を実施するための形態】
【００１０】
この発明にかかる収納具１０は、表紙部２０と、表紙部２０の内面に設けられた、収納部４０とを備える。
この収納具１０は、複数のカード体等の被収納物Ｘを並列して収納するものであり、例えば銀行等で発行される預金通帳等の比較的薄い板状体の収納に適している。
【００１１】
表紙部２０は、比較的硬質なプラスチック板製であり、収納部４０を覆う適宜な広さを有する略方形状の表胴部２２及び略方形状の裏胴部２４と、表胴部２２と裏胴部２４との間に架設された略方形状の底部２６とを含む。
【００１２】
収納部４０は、前記表胴部２２と前記裏胴部２４との間において、開口部４８を有する袋状部４４が連続して複数並列して設けられている。
袋状部４４は、比較的柔軟なプラスチックシート製であり、略方形の第１主面部５２と底縁部６４を挟んで第１主面部５２に対向する略方形の第２主面部５４とを、直線状の底縁部６４並びに底縁部６４と平行な手前側の開口縁部９０及び向こう側の開口縁部９２において連続されて袋状に形成されている。袋状部４４は、底縁部６４と、手前側の開口縁部９０及び向こう側の開口縁部９２と交差する直線状の右側の第１側縁部７２並びに直線状の左側の第２側縁部７４とにおいて囲繞されて、袋状に形成されている。
第１側縁部７２と第２側縁部７４との間において、第１主面部５２と第２主面部５４とが離れた直線状の手前側の開口縁部９０及び向こう側の開口縁部９２は、形成されている。
【００１３】
この袋状部４４は、薄い板状体の被収納物Ｘが収納可能である。
収納部４０は、手前側の開口縁部９０と向こう側の開口縁部９２との間の開口部４８が伸縮自在に形成されている。
第１側縁部７２及び第２側縁部７４は、上下方向にのびて、水平方向にのびる手前側の開口縁部９０及び向こう側の開口縁部９２並びに底縁部６４と直交する。
【００１４】
収納部４０は、開口部４８を有する袋状部４４が開口部４８を構成する手前側の開口縁部９０及び向こう側の開口縁部９２において複数並列して連続して連結されており、隣接する第１袋状部４４ａ及び第２袋状部４４ｂとを連結する袋状部４４の手前側の開口縁部９０と向こう側の開口縁部９２との間の空間が伸縮自在に形成されたものである。
第１袋状部４４ａ及び第２袋状部４４ｂは、同形、同大で、手前側の開口縁部９０及び向こう側の開口縁部９２並びに底縁部６４は、水平面上に一直線に並び、第１側縁部７２及び第２側縁部７４は、垂直な平面上に一直線に並ぶ。
前記袋状部４４の幅方向における一端である第１側縁部７２及び他端である第２側縁部７４が、垂直に形成されて、袋状部４４は、正面視方形状に形成されている。
【００１５】
この実施の形態においては、手前側の開口縁部９０及び向こう側の開口縁部９２と底縁部６４とは平行で、手前側の開口縁部９０及び向こう側の開口縁部９２並びに底縁部６４と第１側縁部７２及び第２側縁部７４とは、直交する。
第１側縁部７２及び第２側縁部７４は、底縁部６４と手前側の開口縁部９０及び向こう側の開口縁部９２との間において、形成されている。
収納部４０は、表紙部２０の表胴部２２と裏胴部２４との間に固定されることにより、表紙部２０の開閉に伴って収納部４０の開口部４８側が拡がる略扇子状又は底縁部６４と開口部４８とが略々均等に拡がる略アコーディオン状に伸縮する。
【００１６】
前記収納部４０は、一枚のポリプロピレン等のプラスチック製シート状の収納部材５０により構成されている。収納部材５０は、表面及び裏面が平面状のシート状体である。
収納部材５０は、トムソン加工により形成された溝による境界によって、第１主面部５２及び第２主面部５４と、底縁部６４及び開口部４８と、第１側縁部７２及び第２側縁部７４とを区画されている。
以下、説明を容易にするために、隣接する２つの袋状部を１つのグループとして、隣接する複数の袋状部４４の関係性を説明する。
収納部材５０は、手前側より向こう側に向かって、第１袋状部４４ａと第２袋状部４４ｂとが交互に並列されるように構成されており、最も手前側の第１グループを構成する第１袋状部４４ａ及び第２袋状部４４ｂと、第１グループに続く向こう側の第２グループを構成する第１袋状部４４ａ及び第２袋状部４４ｂとを有している。
更に、収納部材５０は、第１グループ（第１袋状部４４ａ及び第２袋状部４４ｂで構成されている）と第２グループ（第１袋状部４４ａ及び第２袋状部４４ｂで構成されている）とを交互に並列されるように、複数の第１袋状部４４ａと第２袋状部４４ｂとが交互に並列されるように構成されている。
収納部材５０は、最も手前の第１グループを構成する第１袋状部４４ａの第１主面部５２に形成された第１表紙固定部６０と、最も向こう側の第１グループを構成する第２袋状部４４ｂの第２主面部５４に形成された第２表紙固定部６２とを有している。
【００１７】
前記第１主面部５２と第２主面部５４とは、底縁部６４（第１境界６４ａ）と、手前側の開口縁部９０（第２境界９０ａ及び第４境界９０ｂ）及び向こう側の開口縁部９２（第２境界９０ａ及び第４境界９０ｂ）とを交互に挟んで連続される。
【００１８】
第１主面部５２及び第２主面部５４は、略々同形、同大であり、第１境界６４ａ及び第３境界６４ｂを中心に略々対称に形成されている。
第１主面部５２及び第２主面部５４は、手前側端縁と向こう側端縁とが直線状で、各第１主面部５２の手前側端縁（手前側の開口縁部９０）と向こう側端縁（向こう側の開口縁部９２）は平行に形成され、且つ第２主面部５４の手前側端縁（手前側の開口縁部９０）及び向こう側端縁（向こう側の開口縁部９２）は平行に形成されている。
【００１９】
第１主面部５２の手前側端縁（手前側の開口縁部９０）を構成する第２境界９０ａ及び第４境界９０ｂ並びに第２主面部５４の向こう側端縁（向こう側の開口縁部９２）を構成する第２境界９０ａ並びに第４境界９０ｂは、略直線であり、平行状に、手前側から向こう側に並列される。
第２境界９０ａは、第１袋状部４４ａと第２袋状部４４ｂとからなる第１グループの、第２袋状部４４ｂの第２主面部５４と、第１袋状部４４ａの第１主面部５２との間の境界であり、第２袋状部４４ｂの手前側端縁（手前側の開口縁部９０）を構成するとともに、第１袋状部４４ａの向こう側端縁（向こう側の開口縁部９２）を構成する。
第４境界９０ｂは、前記第１グループに続く第２グループの第１袋状部４４ａを構成する第１主面部５２と第１グループの第２袋状部４４ｂを構成する第２主面部５４との間の境界であり、第１グループの第２袋状部４４ｂの向こう側端縁（向こう側の開口縁部９２）を構成するとともに、第２グループの第１袋状部４４ａの手前側端縁（手前側の開口縁部９０）を構成する。
開口縁部を構成する第２主面部５４と第１主面部５２との間の第２境界９０ａ並びに第４境界９０ｂは、略直線状であり、平行状に、手前側から向こう側に並列される。
第２境界９０ａと第４境界９０ｂとの間に形成された第１境界６４ａ及び第３境界６４ｂは、略直線状であり、平行状に、手前側から向こう側に並列される。
【００２０】
第１主面部５２の第１側縁部７２は、直線状で、第１境界６４ａ及び第３境界６４ｂと直交し、第１主面部５２の第２側縁部７４は、直線状で、第１境界６４ａ及び第３境界６４ｂと直交する。
第２主面部５４の第１側縁部７２（第５境界７２ａ）は、直線状で、第１境界６４ａと直交し、第２主面部５４の第２側縁部７４（第６境界７４ａ）は、直線状で第１境界６４ａと直交する。
第２主面部５４の第１側縁部７２（第７境界７２ｂ）は、直線状で、第３境界６４ｂと直交し、第２主面部５４の第２側縁部７４（第８境界７４ｂ）は、直線状で第３境界６４ｂと直交する。
【００２１】
第１袋状部４４ａと第２袋状部４４ｂとの間の第２境界９０ａは、第１袋状部４４ａの向こう側の開口縁部９２を構成し、第２袋状部４４ｂの手前側の開口縁部９０を構成する。
前記第１袋状部４４ａと第２袋状部４４ｂとの第１グループに続く、第２グループの第２袋状部４４ｂと第１グループの第１袋状部４４ａとの間の第４境界９０ｂは、第１グループの第２袋状部４４ｂの向こう側の開口縁部９２を構成し、第２グループの第１袋状部４４ａの手前側の開口縁部９０を構成する。
第１主面部５２と第２主面部５４との間の第１境界６４ａは、第１袋状部４４ａの底縁部６４を構成し、又、前記第１袋状部４４ａと第２袋状部４４ｂとの間の第２境界９０ａの向こう側の、第１主面部５２と第２主面部５４との間の第３境界６４ｂは、第２袋状部４４ｂの底縁部６４を構成している。
【００２２】
第１袋状部４４ａの底縁部６４を構成する第１境界６４ａと第２袋状部４４ｂの底縁部６４を構成する第３境界６４ｂとは、平行に形成されている。手前側の開口縁部９０及び向こう側の開口縁部９２を構成する第２境界９０ａと第４境界９０ｂとは、平行に形成されている。
【００２３】
第１袋状部４４ａを構成する第２主面部５４は、第５境界７２ａ及び第７境界７４ａの近くで第２境界９０ａ側に第１凹部９６を形成され、且つ、第２袋状部４４ｂを構成する第２主面部５４は、第７境界７２ｂ及び第８境界７４ｂの近くで第４境界９０ｂ側に第２凹部９８を形成されている。
第１袋状部４４ａ及び第２袋状部４４ｂに、被収納物Ｘを収納したときに、第１凹部９６及び第２凹部９８は、第１袋状部４４ａ及び第２袋状部４４ｂを拡開し易くする。
【００２４】
前記第１袋状部４４ａを構成する第２主面部５４の幅方向における一端から幅方向にのびて形成される一方の第１補強部材８０ａと、前記第１袋状部４４ａを構成する第２主面部５４の幅方向における他端から幅方向にのびて形成される他方の第２補強部材８４ａとを有する。
前記第２袋状部４４ｂを構成する第２主面部５４の幅方向における一端から幅方向にのびて形成される一方の第３補強部材８０ｂと、前記第２袋状部４４ｂを構成する第２主面部５４の幅方向における他端から幅方向にのびて形成される他方の第４補強部材８４ｂとを有する。
【００２５】
最も手前側の端の第１主面部５２に連設された第１表紙固定部６０は、舌状に第１主面部５２の端縁より手前側に突設されており、前記第１表紙固定部６０を形成された端とは離れた反対側の最も向こう側の端の第２主面部５４に連設された第２表紙固定部６２は、台形状ないしは舌状に第２主面部５４の端縁より向こう側に突設されている。
【００２６】
第１補強部材８０ａと第２補強部材８４ａは、略々同一の形状を有している。
第３補強部材８０ｂと第４補強部材８４ｂは、略々同一の形状を有している。
第１袋状部４４ａを構成する第１補強部材８０ａは、右側の第１側縁部７２（第５境界７２ａ）を挟んで第２主面部５４に連続され、且つ第２補強部材８４ａは、左側の第２側縁部７４（第６境界７４ａ）を挟んで第２主面部５４に連続される。
第２袋状部４４ｂを構成する第３補強部材８０ｂは、右側の第１側縁部７２（第７境界７２ｂ）を挟んで第２主面部５４に連続され、且つ第４補強部材８４ｂは、左側の第２側縁部７４（第８境界７４ｂ）を挟んで第２主面部５４に連続される。
【００２７】
第１補強部材８０ａ及び第３補強部材８０ｂは、右側の第１側縁部７２から連続された、略台形状の第１側縁補強部８１と、前記第１側縁補強部８１から連続された、略帯状の第１上縁補強部８２とから構成されている。
【００２８】
第１側縁補強部８１は、第１補強部材８０ａの開口部側の端縁を構成する第１側縁補強部８１の上縁部８１ａと、第１側縁補強部８１の下縁部８１ｂと、第５境界７２ａ（又は第７境界７２ｂ）とによって囲まれた、略台形状である。
第１側縁補強部８１の上縁部８１ａは、手前側の開口縁部９０及び向こう側の開口縁部９２と平行である。
第１側縁補強部８１の上縁部８１ａは、直線状であり、第１側縁部７２と直交する。
第１側縁補強部８１の下縁部８１ｂは、直線状であり、第１境界６４ａ（又は第３境界６４ｂ）と第５境界７２ａ（又は第７境界７２ｂ）との交点から、第１側縁補強部８１の上縁部８１ａ側に傾くように、第１側縁部７２と斜交する。
第１側縁補強部８１の上縁部８１ａは、第２の境界９０の長さの３分の１位の長さである。
第１側縁補強部８１の下縁部８１ｂは、第２の境界９０の長さの３分の１位の長さである。
第１側縁補強部８１は、第５境界７２ａ（又は第７境界７２ｂ）において、第１側縁補強部８１及び第１上縁補強部８２を構成する第１補強部材８０ａ（又は第３補強部材８０ｂ）が、袋状部４４を第１主面部５２の収納部とは反対側、すなわち、第１主面部５２の第１補強部材８０ａ（又は第３補強部材８０ｂ）が折り曲げられた側から正面視して、第１主面部５２の手前側の領域の３分の１位を覆う大きさを有している。
【００２９】
第１上縁補強部８２は、第１補強部材８０ａの開口部側の端縁を構成する第１上縁補強部８２の上縁部８２ａと、第１上縁補強部８２の下縁部８２ｂとによって形成された、略帯状である。
第１上縁補強部８２の上縁部８２ａは、手前側の開口縁部９０及び向こう側の開口縁部９２と平行である。
第１上縁補強部８２の上縁部８２ａは、直線状であり、第１側縁部７２と直交する。
第１上縁補強部８２の上縁部８２ａは、第１側縁補強部８１の上縁部８１ａから連続したものであり、第１上縁補強部８２の上縁部８２ａと第１側縁補強部８１の上縁部８１ａとは、一直線上にある。
第５境界７２ａ及び第７境界７２ｂにおいて収納部材５０の表面側（袋状部４４の内側）より裏面側（袋状部４４の外側）に向けて折り曲げられた第１補強部材８０ａ及び第３補強部材８０ｂと、第６境界７４ａ及び第８境界７４ｂにおいて収納部材５０の表面側（袋状部４４の内側）より裏面側（袋状部４４の外側）に向けて折り曲げられた第２補強部材８４ａ及び第４補強部材８４ｂとが、前記袋状部の幅方向における中央付近で互いに重なり合うように、一直線上にある第１上縁補強部８２の上縁部８２ａと第１側縁補強部８１の上縁部８１ａを合わせた長さは、第１主面部の幅方向の長さの２分の１以上である。
第１上縁補強部８２の下縁部８２ｂは、直線状であり、第１上縁補強部８２の上縁部８２ａと平行である。
第１上縁補強部８２の上縁部８２ａと第１上縁補強部８２の下縁部８２ｂは、略同一の長さである。
第１上縁補強部８２は、第５境界７２ａ及び第７境界７２ｂにおいて、第１側縁補強部８１及び第１上縁補強部８２を構成する第１補強部材８０ａ及び第３補強部材８０ｂが、袋状部４４を第１主面部５２の収納部とは反対側の面、すなわち、第１主面部５２の第１補強部材８０ａ及び第３補強部材８０ｂが折り曲げられた側から正面視して、第１主面部５２の開口部側の端縁９０から一定の領域を覆う幅である。
【００３０】
第１側縁補強部８１の上縁部８１ａと第１上縁補強部８２の上縁部８２ａで構成される第１補強部材８０ａ及び第３補強部材８０ｂの開口部側の端縁は、第１補強部材８０ａ及び第３補強部材８０ｂが、袋状部４４を第１主面部５２の収納部とは反対側、すなわち、第１主面部５２の第１補強部材８０ａ及び第３補強部材８０ｂが折り曲げられた側から正面視して、第１主面部５２の開口部側の端縁９０の近傍に位置する又は第１主面部５２の開口部側の端縁９０と重なるように、構成されている。
【００３１】
第１補強部材８０ａ及び第３補強部材８０ｂは、第１上縁補強部８２の上縁部８２ａに、第２補強部材８４ａ及び第４補強部材８４ｂと係合させるための第１係合溝８２ｃが穿設されている。第１係合溝８２ｃは、当該上縁部８２ａから下縁部８２ｂに向かうに従って第１側縁部７２から離れる方向に、斜めに溝が形成されている。
第１係合溝８２ｃは、一方の補強部材（第１補強部材８０ａ及び第３補強部材８０ｂ）と他方の補強部材（第２補強部材８４ａ及び第４補強部材８４ｂ）が、袋状部４４の幅方向における中央付近で互いに係合可能に形成されている。
【００３２】
第２補強部材８４ａ及び第４補強部材８４ｂは、左側の第２側縁部７４から連続された、略台形状の第２側縁補強部８５と、前記第２側縁補強部８５から連続された、略帯状の第２上縁補強部８６とから構成されている。
【００３３】
第２側縁補強部８５は、第２補強部材８４ａの開口部側の端縁を構成する第２側縁補強部８５の上縁部８１ａと、第２側縁補強部８５の下縁部８１ｂと、第６境界７４ａ（又は第８境界７４ｂ）とによって囲まれた、略台形状である。
第２側縁補強部８５の上縁部８５ａは、手前側の開口縁部９０及び向こう側の開口縁部９２と平行である。
第２側縁補強部８５の上縁部８５ａは、直線状であり、第１側縁部７２と直交する。
第２側縁補強部８５の下縁部８５ｂは、直線状であり、第１境界６４ａ（又は第３境界６４ｂ）と第６境界７４ａ（又は第８境界７４ｂ）との交点から、第２側縁補強部８５の上縁部８５ａ側に傾くように、第２側縁部７４と斜交する。
第２側縁補強部８５の上縁部８５ａは、第２の境界９０の長さの３分の１位の長さである。
第２側縁補強部８５の下縁部８５ｂは、第２の境界９０の長さの３分の１位の長さである。
第２側縁補強部８５は、第６境界７４ａ（又は第８境界７４ｂ）において、第２側縁補強部８５及び第２上縁補強部８６を構成する第２補強部材８４ａ（又は第４補強部材８４ｂ）が、袋状部４４を第１主面部５２の収納部とは反対側、すなわち、第１主面部５２の第２補強部材８４ａ（又は第４補強部材８４ｂ）が折り曲げられた側から正面視して、第１主面部５２の手前側の領域の３分の１位を覆う大きさを有している。
【００３４】
第２上縁補強部８６は、第２補強部材８４ａの開口部側の端縁を構成する第２上縁補強部８６の上縁部８６ａと、第２上縁補強部８６の下縁部８６ｂとによって形成された、略帯状である。
第２上縁補強部８６の上縁部８６ａは、手前側の開口縁部９０及び向こう側の開口縁部９２と平行である。
第２上縁補強部８６の上縁部８６ａは、直線状であり、第２側縁部７４と直交する。
第２上縁補強部８６の上縁部８６ａは、第２側縁補強部８５の上縁部８５ａから連続したものであり、第２上縁補強部８６の上縁部８６ａと第２側縁補強部８５の上縁部８５ａとは、一直線上にある。
第５境界７２ａ及び第７境界７２ｂにおいて収納部材５０の表面側（袋状部４４の内側）より裏面側（袋状部４４の外側）に向けて折り曲げられた第１補強部材８０ａ及び第３補強部材８０ｂと、第６境界７４ａ及び第８境界７４ｂにおいて収納部材５０の表面側（袋状部４４の内側）より裏面側（袋状部４４の外側）に向けて折り曲げられた第２補強部材８４ａ及び第４補強部材８４ｂとが、前記袋状部の幅方向における中央付近で互いに重なり合うように、一直線上にある第２上縁補強部８６の上縁部８６ａと第２側縁補強部８５の上縁部８５ａを合わせた長さは、第１主面部の幅方向の長さの２分の１以上である。
第２上縁補強部８６の下縁部８６ｂは、直線状であり、第２上縁補強部８６の上縁部８６ａと平行である。
第２上縁補強部８６の上縁部８６ａと第２上縁補強部８６の下縁部８６ｂは、略同一の長さである。
第２上縁補強部８６は、第６境界７４ａにおいて、第２側縁補強部８５及び第２上縁補強部８６を構成する第２補強部材８４ａ及び第４補強部材８４ｂが、袋状部４４を第１主面部５２の収納部とは反対側、すなわち、第１主面部５２の第１補強部材８０ａ及び第３補強部材８０ｂが折り曲げられた側から正面視して、第１主面部５２の開口部側の端縁９０から一定の領域を覆う幅である。
【００３５】
第２側縁補強部８５の上縁部８５ａと第２上縁補強部８６の上縁部８６ａで構成される第２補強部材８４ａ及び第４補強部材８４ｂの開口部側の端縁は、第２補強部材８４ａ及び第４補強部材８４ｂが、袋状部４４を第１主面部５２の収納部とは反対側、すなわち、第１主面部５２の第２補強部材８４ａ及び第４補強部材８４ｂが折り曲げられた側から正面視して、第１主面部５２の開口部側の端縁９０の近傍に位置する又は第１主面部５２の開口部側の端縁９０と重なるように、構成されている。
【００３６】
第２補強部材８４ａ及び第４補強部材８４ｂは、第２上縁補強部８６の下縁部８６ｂに、第１補強部材８０ａ及び第３補強部材８０ｂと係合させるための第２係合溝８６ｃが穿設されている。第２係合溝８６ｃは、当該下縁部８６ｂから上縁部８６ａに向かうに従って第２側縁部７４から離れる方向に、斜めに溝が形成されている。
第２係合溝８６ｃは、一方の補強部材と他方の補強部材が、袋状部４４の幅方向における中央付近で互いに係合可能に形成されている。
【００３７】
第１袋状部４４ａを構成する底縁部６４は、第１境界６４ａにおいて谷折りされて第１主面部５２と第２主面部５４とが対向し、第１袋状部４４ａを構成する第２主面部５４と第２袋状部４４ｂを構成する第１主面部５２との間の第２境界９０ａは、山折りされる。
そして、第１袋状部４４ａに隣り合う第２袋状部４４ｂを構成する底縁部６４は、第３境界６４ｂにおいて谷折りされて第１主面部５２と第２主面部５４とが対向し、第２袋状部４４ｂを構成する第２主面部５４と第２袋状部４４ｂに隣接する第２グループの第１袋状部４４ａを構成する第１主面部５２との間の第４境界９０ｂは、山折りされる。
第１袋状部４４ａを構成する第２主面部５４と第２袋状部４４ｂを構成する第１主面部５２との間の第２境界９０ａは、山折りされて、第１主面部５２と第２主面部５４とが対向し、第１グループの第１袋状部４４ａを構成する向こう側の開口縁部９２及び第１グループの第２袋状部４４ｂを構成する手前側の開口縁部９０を形成される。
そして、第２グループの第１袋状部４４ａに隣り合う第１グループの第２袋状部４４ｂを構成する第２主面部５４と、第２グループの第１袋状部４４ａを構成する第１主面部５２との間の第４境界９０ｂは、山折りされて、第２グループの第１袋状部４４ａを構成する第１主面部５２と第１グループの第２袋状部４４ｂを構成する第２主面部５４とが対向する。
第２グループの第１袋状部４４ａを構成する第１主面部５２と第１グループの第２袋状部４４ｂを構成する第２主面部５４との間の第４境界９０ｂは、山折りされて、第１主面部５２と第２主面部５４とが対向し、第１グループの第２袋状部４４ｂを構成する向こう側の開口縁部９２及び第２グループの第１袋状部４４ａを構成する手前側の開口縁部９０を形成される。
【００３８】
第２主面部５４と第１補強部材８０ａとの間の第５境界７２ａは、谷折りされて、第２主面部５４と第５境界７２ａにおいて連続された第１補強部材８０ａは、前記第２主面部５４に対向する手前側の第１主面部５２の収納部とは反対側の面へと折り曲げられて形成される。
第２主面部５４と第２補強部材８４ａとの間の第６境界７４ａは、谷折りされて、第２主面部５４と第６境界７４ａにおいて連続された第２補強部材８４ａは、前記第２主面部５４に対向する手前側の第１主面部５２の収納部とは反対側の面へと折り曲げられて形成される。
第２主面部５４と第３補強部材８０ｂとの間の第７境界７２ｂは、谷折りされて、第２主面部５４と第７境界７２ｂにおいて連続された第３補強部材８０ｂは、前記第２主面部５４に対向する手前側の第１主面部５２の収納部とは反対側の面へと折り曲げられて形成される。
また、第２主面部５４と第４補強部材８４ｂとの間の第８境界７４ｂは、谷折りされて、第２主面部５４と第８境界７４ｂにおいて連続された第４補強部材８４ｂは、前記第２主面部５４に対向する手前側の第１主面部５２の収納部とは反対側の面へと折り曲げられて形成される。
【００３９】
一方の補強部材（第１補強部材８０ａ及び第３補強部材８０ｂ）の開口部側の端縁と他方の補強部材（第２補強部材８４ａ及び第４補強部材８４ｂ）の開口部側の端縁は、第１主面部５２の収納部とは反対側の面において、正面視して部分的に重ね合っており、重ね合った部分で係合される。
一方の補強部材（第１補強部材８０ａ及び第３補強部材８０ｂ）の開口部側の端縁と他方の補強部材（第２補強部材８４ａ及び第４補強部材８４ｂ）の開口部側の端縁は、直線状であって、正面視して一直線上にあり、第１主面部５２の開口部側の端縁と平行である。
【００４０】
一方の補強部材（第１補強部材８０ａ及び第３補強部材８０ｂ）の開口部側の端縁と他方の補強部材（第２補強部材８４ａ及び第４補強部材８４ｂ）の開口部側の端縁が、第１主面部５２の開口部側の端縁９０の近傍に位置する又は第１主面部５２の開口部側の端縁９０と重なり、かつ、第１主面部５２の開口部側の端縁９０と平行であるという上述のような位置関係は、第１補強部材８０ａ及び第３補強部材８０ｂと第２主面部５４との連設部分である第１側縁部７２、並びに、第２補強部材８４ａ及び第４補強部材８４ｂと第２主面部５４との連設部分である第２側縁部７４によって、保持される。
【００４１】
第１主面部５２の収納部とは反対側に折り曲げられた第１補強部材８０ａの全部の領域と、第１主面部５２の一部分とは、正面視して重ね合わされ、また、第１主面部５２の収納部とは反対側に折り曲げられた第２補強部材８４ａの全部の領域と、第１主面部５２の一部分とは、正面視して重ね合わされる。
第１主面部５２の収納部とは反対側に折り曲げられた第３補強部材８０ｂの全部の領域と、第１主面部５２の一部分とは、正面視して重ね合わされ、また、第１主面部５２の収納部とは反対側に折り曲げられた第４補強部材８４ｂの全部の領域と、第１主面部５２の一部分とは、正面視して重ね合わされる。
【００４２】
第１主面部５２の収納部とは反対側に折り曲げられた第１補強部材８０ａの第１上縁補強部８２の領域と、第１主面部５２の収納部とは反対側に折り曲げられた第２補強部材８４ａの第２上縁補強部８６の領域とが、正面視して部分的に重ね合わされて、第１補強部材８０ａの第１係合溝８２ｃと、第２補強部材８４ａの第２係合溝８６ｃとが、嵌め込まれて、第１補強部材８０ａと第２補強部材８４ａとが連結される。
第１主面部５２の収納部とは反対側に折り曲げられた第３補強部材８０ｂの第１上縁補強部８２の領域と、第１主面部５２の収納部とは反対側に折り曲げられた第４補強部材８４ｂの第２上縁補強部８６の領域とが、正面視して部分的に重ね合わされて、第３補強部材８０ｂの第１係合溝８２ｃと、第４補強部材８４ｂの第２係合溝８６ｃとが、嵌め込まれて、第３補強部材８０ｂと第４補強部材８４ｂとが連結される。
【００４３】
第１補強部材８０ａの開口部側の端縁と第２補強部材８４ａの開口部側の端縁とが、正面視して部分的に重ね合わさって係合されたものの幅方向の全長は、第１主面部５２の開口部側の端縁の長さと略々同じである。
第３補強部材８０ｂの開口部側の端縁と第４補強部材８４ｂの開口部側の端縁とが、正面視して部分的に重ね合わさって係合されたものの幅方向の全長は、第１主面部５２の開口部側の端縁の長さと略々同じである。
これにより、袋状部４４の第１主面部５２と第２主面部５４の対向された状態が、前記第１主面部５２の収納部とは反対側で係合された第１補強部材８０ａ及び第２補強部材８４ａ、または、第３補強部材８０ｂ及び第４補強部材８４ｂによって、保持され、袋状部４４の開口部４８の開口範囲が制限される。
【００４４】
この実施形態に係る収納具において、第１主面部５２の収納部とは反対側に折り曲げられた第１補強部材８０ａの第１主面部５２と対向する面、及び、第１主面部５２の収納部とは反対側に折り曲げられた第２補強部材８４ａの第１主面部５２と対向する面が、第１主面部５２の収納部とは反対側の面に接し合う状態が、保持される。
この実施形態に係る収納具の開口部を開いた状態においても、第１主面部５２の一方の側縁が、第１補強部材８０ａと第２主面部５４との間の第５境界７２ａの近傍に位置した状態が保たれ、また、第１主面部５２の他方の側縁が、第２補強部材８４ａと第２主面部５４との間の第６境界７４ａの近傍に位置した状態が保たれる。
この実施形態に係る収納具を平面視したとき、第１補強部材８０ａの開口部側の端縁は、第１主面部５２の開口部側の端縁に沿って、略々重なっている。
この実施形態に係る収納具を平面視したとき、第２補強部材８４ａの開口部側の端縁は、第１主面部５２の開口部側の端縁に沿って、略々重なっている。
この実施形態に係る収納具における第３補強部材８０ｂ及び第４補強部材８４ｂは、上述の第１補強部材８０ａ及び第２補強部材８４ａと同様の構成である。
【００４５】
この実施形態に係る収納具は、上述のように、第１補強部材８０ａ及び第２補強部材８４ａが、袋状部４４を構成する第１主面部５２の収納部４０とは反対側、すなわち、当該袋状部４４ａと当該袋状部４４ａに隣接する袋状部４４ｂの間に位置し、また、これら二つの袋状部４４ａ，４４ｂ間の開口部側の端縁の近傍に位置する又はこれら二つの袋状部４４ａ，４４ｂ間の開口部側の端縁と正面視して略々一致するように構成されている。
また、この実施形態に係る収納具は、上述のように、第３補強部材８０ｂ及び第４補強部材８４ｂが、袋状部４４を構成する第１主面部５２の収納部４０とは反対側、すなわち、当該袋状部４４ａと当該袋状部４４ａに隣接する袋状部４４ｂの間に位置し、また、これら二つの袋状部４４ａ，４４ｂ間の開口部側の端縁の近傍に位置する又はこれら二つの袋状部４４ａ，４４ｂ間の開口部側の端縁と正面視して略々一致するように構成されている。
このような構成により、前記収納具の開口部を開くときに、１つの袋状部と前記１つの袋状部に隣接する袋状部とを連設する開口縁部がよれにくくなる。
このため、前記収納具の開口部を開くときに、正面視して第１主面部５２及び第２主面部５４における第１凹部９６及び第２凹部９８の下の領域、すなわち、第１主面部５２及び第２主面部５４における側縁近傍の領域が丸みを帯びることにより開口するが、当該隣接する二つの袋状部４４ａ，４４ｂを連設する開口縁部は、よれることなく、その直線状態が保持される。
特に、正面視して、第１主面部５２と第１補強部材８０ａ及び第２補強部材８４ａとが重なり合う領域、並びに、第１主面部５２と第３補強部材８０ｂ及び第４補強部材８４ｂとが重なり合う領域は、開口部を開いたときに、力がかかっても、丸みを帯びにくく、ある程度の平面状態が保たれ、通帳などを板状のものを出し入れしやすい。
【００４６】
第１袋状部４４ａを構成する第２主面部５４と第１主面部５２とが続いた底縁部６４を構成する第１境界６４ａとは別の辺の向こう側の開口縁部９２を構成する第２境界９０ａは、それを挟んで隣接する第２袋状部４４ｂを構成する第１主面部５２が連続されるように構成されており、第１袋状部４４ａを構成する複数の第１主面部５２と第２主面部５４とが第２境界９０ａ及び第４境界９０ｂを挟んで交互に連続して並列して形成されている。
【００４７】
最も向こう側のグループの前記第１袋状部４４ａを構成する第２主面部５４の幅方向における一端（右端）から幅方向にのびて形成される一方の第１補強部材８０ａと、前記第１袋状部４４ａを構成する第２主面部５４の幅方向における他端（左端）から幅方向にのびて形成され、前記一方の補強部材（第１補強部材８０ａ）に係合可能に形成された他方の第２補強部材８４ａとを有する。
最も向こう側のグループの前記第２袋状部４４ｂを構成する第１主面部５２の幅方向における一端（右端）から幅方向にのびて形成される一方の第３補強部材８０ｂと、前記第２袋状部４４ｂを構成する第１主面部５２の幅方向における他端（左端）から幅方向にのびて形成され、前記一方の補強部材（第３補強部材８０ｂ）に係合可能に形成された他方の第４補強部材８４ｂとを有する。
【００４８】
最も向こう側のグループの第１袋状部４４ａの第１補強部材８０ａ及び第２補強部材８４ａは、他のグループの第１袋状部４４ａの第１補強部材８０ａ及び第２補強部材８４ａと、それぞれ、同形・同大である。
最も向こう側のグループの第２袋状部４４ｂの第３補強部材８０ｂ及び第４補強部材８４ｂは、他のグループの第２袋状部４４ｂの第３補強部材８０ｂ及び第４補強部材８４ｂと、それぞれ、同形・同大である。
【００４９】
最も向こう側のグループの第１袋状部４４ａを構成する第１補強部材８０ａは、右側の第１側縁部７２（第５境界７２ａ）を挟んで第２主面部５４に連続され、且つ第２補強部材８４ａは、左側の第２側縁部７４（第６境界７４ａ）を挟んで第２主面部５４に連続される。
【００５０】
最も向こう側のグループの第２袋状部４４ｂを構成する第３補強部材８０ｂは、右側の第１側縁部７２（第７境界７２ｂ）を挟んで第１主面部５２に連続され、且つ第４補強部材８４ｂは、左側の第２側縁部７４（第８境界７４ｂ）を挟んで第１主面部５２に連続される。
【００５１】
最も向こう側のグループの第１袋状部４４ａの第２主面部５４と第１補強部材８０ａとの間の第５境界７２ａは、谷折りされて、第２主面部５４と第５境界７２ａにおいて連続された第１補強部材８０ａは、前記第２主面部５４に対向する手前側の第１主面部５２の収納部とは反対側の面へと折り曲げられて形成される。
最も向こう側のグループの第１袋状部４４ａの第２主面部５４と第２補強部材８４ａとの間の第６境界７４ａは、谷折りされて、第２主面部５４と第６境界７４ａにおいて連続された第２補強部材８４ａは、前記第２主面部５４に対向する手前側の第１主面部５２の収納部とは反対側の面へと折り曲げられて形成される。
最も向こう側のグループの第２袋状部４４ｂの第１主面部５２と第３補強部材８０ｂとの間の第７境界７２ｂは、谷折りされて、第１主面部５２と第７境界７２ｂにおいて連続された第３補強部材８０ｂは、前記第１主面部５２に対向する手前側の第２主面部５４の収納部とは反対側の面へと折り曲げられて形成される。
最も向こう側のグループの第２袋状部４４ｂの第１主面部５２と第４補強部材８４ｂとの間の第８境界７４ｂは、谷折りされて、第１主面部５２と第８境界７４ｂにおいて連続された第４補強部材８４ｂは、前記第１主面部５２に対向する手前側の第２主面部５４の収納部とは反対側の面へと折り曲げられて形成される。
【００５２】
最も向こう側のグループの第１袋状部４４ａを構成する第１補強部材８０ａの開口部側の端縁は、第１補強部材８０ａが、第１袋状部４４ａを第１主面部５２の収納部とは反対側、すなわち、第１主面部５２の第１補強部材８０ａが折り曲げられた側から正面視して、第１主面部５２の開口部側の端縁９０の近傍に位置する又は第１主面部５２の開口部側の端縁９０と重なるように、構成されている。
最も向こう側のグループの第１袋状部４４ａを構成する第２補強部材８０ｂの開口部側の端縁は、第２補強部材８０ｂが、第１袋状部４４ａを第１主面部５２の収納部とは反対側、すなわち、第１主面部５２の第２補強部材８０ｂが折り曲げられた側から正面視して、第１主面部５２の開口部側の端縁９０の近傍に位置する又は第１主面部５２の開口部側の端縁９０と重なるように、構成されている。
最も向こう側のグループの第２袋状部４４ｂを構成する第３補強部材８４ａの開口部側の端縁は、第３補強部材８０ａが、第１袋状部４４ａを第２主面部５４の収納部とは反対側、すなわち、第２主面部５４の第３補強部材８４ａが折り曲げられた側から正面視して、第２主面部５４の開口部側の端縁９０の近傍に位置する又は第２主面部５４の開口部側の端縁９０と重なるように、構成されている。
最も向こう側のグループの第２袋状部４４ｂを構成する第４補強部材８４ａの開口部側の端縁は、第１補強部材８０ａが、第１袋状部４４ａを第１主面部５２の収納部とは反対側、すなわち、第２主面部５４の第４補強部材８４ｂが折り曲げられた側から正面視して、第２主面部５４の開口部側の端縁９０の近傍に位置する又は第２主面部５４の開口部側の端縁９０と重なるように、構成されている。
【００５３】
更に、この実施の形態における収納部材５０について、説明する。
第１袋状部４４ａを構成する第１主面部５２と第２主面部５４とは略長方形の板状体であり、第１主面部５２と第２主面部５４との間の第１境界６４ａは、右側から左側に連続する折り曲げ自在な直線状屈曲部を構成している。
第１補強部材８０ａは、第２主面部５４の右側の端において第５境界７２ａを介して連続された略帯状の板状体であり、第２補強部材８４ａは、第２主面部５４の左側の端において第６境界７４ａを介して連設された略帯状の板状体である。
第２主面部５４と第１補強部材８０ａとの間の第５境界７２ａは、上側から下側に連続する折り曲げ自在な直線状屈曲部であり、第１側縁部７２を形成する。
第２主面部５４と第２補強部材８４ａとの間の第６境界７４ａは、上側から下側に連続する折り曲げ自在な直線状屈曲部であり、第２側縁部７４を形成する。
これら第１主面部５２及び第２主面部５４と第１側縁部７２及び第２側縁部７４とにより、第１袋状部４４ａを構成するよう形成されている。
【００５４】
更に、第１グループの第１袋状部４４ａを構成する第２主面部５４の隣り、すなわち前記第１グループの第１袋状部４４ａを構成する第１主面部５２が連設されていない側の第２主面部５４の端縁に、第１グループの第１袋状部４４ａを構成するための隣接する別の第１主面部５２が並列して連設される。
そして、第１袋状部４４ａを構成する第２主面部５４と第２袋状部４４ｂを構成する第１主面部５２との間に、第１境界６４ａと平行な第２境界９０ａが形成される。
第２境界９０ａは、第１境界６４ａと同様な構造である。
【００５５】
更に、前記向こう側の袋状部４４ｂを構成する第２主面部５４に、前記向こう側の袋状部４４ｂを構成する第１主面部５２が連設されていない側の端縁において、更に向こう側に隣接する袋状部４４ｃを構成する第１主面部５２が並列して連設される。
同様にして袋状部４４を構成する第１主面部５２及び第２主面部５４が、向こう側において、順次くり返し、並ぶ。
第１主面部５２と第２主面部５４とは、略同形、同大である。
第１境界６４は、第２境界９０より短く、それぞれは、略々等間隔をおいて平行に並ぶ。
【００５６】
収納部材５０は、収納部材５０の第１主面部５２と第２主面部５４とを第１境界６４において谷折りして内面を対向させて袋状部４４の底縁部６４を形成し且つ第１補強部材８０と第２補強部材８４とを第５境界７２及び第７境界７４において谷折りして第１主面部５２と対向させて、袋状部４４の側縁部（第１側縁部７２及び第２側縁部７４）を形成する。
【００５７】
収納部材５０は、収納部材５０の第１主面部５２と第２主面部５４とを第１境界６４において谷折りして、第１主面部５２と第２主面部５４とを対向させ、更に、第２主面部５４とそれに続く第１主面部５２との間の第２境界９０を山折りして第２主面部５４と第１主面部５２とを対向させるとともに、第１主面部５２と第２主面部５４とを第１境界６４において谷折りして、第１主面部５２と第２主面部５４とを対向させ、更に、第２主面部５４とそれに続く第１主面部５２との間の第２境界９０を山折りして第２主面部５４と第１主面部５２とを対向させて、袋状部４４の第１主面部５２及び第２主面部５４を連続して並列させる。
【００５８】
そして、収納部材５０の第１補強部材８０及び第２補強部材８４は、第５境界７２ａ及び第６境界７４ａにおいて、それぞれ、谷折りされて、第２主面部５４に対向した第１主面部５４の収納部とは反対側へと折り曲げられる。それにより、第１主面部５２と第２主面部５４とを対向させて、第１主面部５２と第２主面部５４との間に、被収納物Ｘを収納する空間を有する袋状部４４を形成される。
【００５９】
収納部材５０の第１補強部材８０及び第２補強部材８４は、第１主面部５４の収納部とは反対側において、第１補強部材８０先端の略帯状の第１上縁補強部８２と第２補強部材８４先端の略帯状の第２上縁補強部８６とが、正面視して部分的に重ね合わされる。そして、第１補強部材８０の第１係合溝８２ｃと、第２補強部材８４の第２係合溝８６ｃとが、嵌め込まれて、第１補強部材８０と第２補強部材８４とが連結される。それにより、袋状部４４を構成する第１主面部５２及びそれに対向する第２主面部５４は、第２主面部５４に連設され、かつ、第１主面部５２の収納部とは反対側の面で係合された、第１補強部材８０及び第２補強部材８４によって、第１主面部と第２主面部が対向された状態を保持する。
【００６０】
第２境界９０において連続する手前側の袋状部４４ａを構成する第２主面部５４と当該手前側の袋状部４４ａの向こう側の袋状部４４ｂを構成する第１主面部５２とを山折りして向こう側の開口縁部９２を形成し、向こう側の開口縁部９２を構成する第２境界９０を介して並列される複数の袋状部４４を並列連続した、収納部４０を形成されている。
【００６１】
この収納部材５０には、収納部材５０の幅方向に延びる底縁部６４を構成する第１境界６４と向こう側の開口縁部９２を構成する第２境界９０とが交互に連続して設けられ、これら第１境界６４と第２境界９０とをそれぞれ山折り及び谷折りに、ジグザグに折曲げることにより、第１主面部５２と第２主面部５４とによって袋状部４４の内側面が形成される。
さらに、第１補強部材８０及び第２補強部材８４は、第１主面部５２の対向する外側面であって、第１境界６４の上側に位置するように第１主面部５２側へ折込まれる。
【００６２】
このように、収納部材５０を折曲げることにより、隣り合う二つの第２境界９０によって袋状部４４の開口部４８が形成され、第１境界６４によって袋状部４４の底縁部６４が形成されて、開口部４８と底縁部６４とを有する袋状部４４が複数並列して設けられる。
【００６３】
最も端の第１主面部５２及び／又は最も端の第２主面部５４に、収納部４０を覆うように表紙部２０を固定されている。
この実施の形態においては、最も手前側の第１主面部５２の第１表紙固定部６０を表胴部２２の内面に形成された第１嵌挿部２８に嵌挿されて固定され、最も向こう側の第２主面部５４の第２表紙固定部６２を裏胴部２４の内面に形成された第２嵌挿部３０に嵌挿されて固定されている。第１嵌挿部２８及び第２嵌挿部３０は、表胴部２２と底部２６及び裏胴部２４と底部２６との間のヒンジ部（屈曲線１３０ａ及び屈曲線１３０ｃで構成される）と、略々平行に形成される。そして、第１嵌挿部２８及び第２嵌挿部３０に嵌挿されて表紙部２０に固定された収納部４０の底縁部６４及び開口部４８は、表胴部２２と底部２６及び裏胴部２４と底部２６との間のヒンジ部（屈曲線１３０ａ及び屈曲線１３０ｃで構成される）と、平行に並ぶ。
【００６４】
この実施形態において、一方の補強部材と他方の補強部材とは、係合されるものとして説明されたが、連結部材であれば、その他の構造でもよく、接着されてもよい。
本発明に係る収納具は、一方の補強部材と他方の補強部材とが連結されるものに限定されない。
【００６５】
この実施形態において、隣接する袋状部の関係性について説明するために、２つの袋状部で１つのグループを構成するように説明されたにすぎない。
すなわち、この実施形態において説明されたように、手前側の第１のグループとその向こう側に隣接する第２のグループは、第１袋状部４４ａ及び第２袋状部４４ｂを有しており、同じ構成である。また、本発明に係る収納具には、その収納具が有する複数の袋状部の個数が、偶数個である場合に限定されず、奇数個である場合も含まれる。
【００６６】
この発明に係る収納具の変形例として、図１４には、第１主面部及び第２主面部が、略台形状であり、一方の補強部材（第１補強部材８０ａ及び第４補強部材８４ｂ）と他方の補強部材（第２補強部材８４ａ及び第３補強部材８０ｂ）との開口部側の端縁の長さが異なる収納具が示されている。
【００６７】
この変形例において、第１側縁部７２及び第２側縁部７４は、上下方向にのびて、水平方向にのびる手前側の開口縁部９０並びに向こう側の開口縁部９２及び底縁部６４と斜交する。
【００６８】
前記袋状部４４の幅方向における一端である第１側縁部７２及び他端である第２側縁部７４は、斜めに形成されて、正面視台形状に形成されている。
この収納具１０は、袋状部４４の幅方向における両側の収納部４０が上方に向かうに従って広がるように、袋状部４４の幅方向における一端及び他端が斜めに形成されているので、袋状部４４の開口部４８を開いたときに、袋状部４４の両側が内側に変形しても、収納部４０に収納されている例えばカード等の被収納物Ｘの上端部どうしが接触しにくい。
【００６９】
この実施の形態においては、手前側の開口縁部９０及び向こう側の開口縁部９２と底縁部６４とは平行で、手前側の開口縁部９０並びに向こう側の開口縁部９２及び底縁部６４と第１側縁部７２及び第２側縁部７４とは、斜交する。
【００７０】
第１主面部５２の第１側縁部７２は、直線状で、第１境界６４ａ及び第３境界６４ｂと斜交し、第１主面部５２の第２側縁部７４は、直線状で、第１境界６４ａ及び第３境界６４ｂと斜交する。
第２主面部５４の第１側縁部７２（第５境界７２ａ）は、直線状で、第１境界６４ａと斜交し、第２主面部５４の第２側縁部７４（第６境界７４ａ）は、直線状で第１境界６４ａと斜交する。
第２主面部５４の第１側縁部７２（第７境界７２ｂ）は、直線状で、第３境界６４ｂと斜交し、第２主面部５４の第２側縁部７４（第８境界７４ｂ）は、直線状で第３境界６４ｂと斜交する。
【００７１】
前記第１袋状部４４ａを構成する第２主面部５４の幅方向における一端から幅方向にのびて形成される一方の第１補強部材８０ａと、前記第１袋状部４４ａを構成する第２主面部５４の幅方向における他端から幅方向にのびて形成され、前記一方の補強部材に係合可能に形成された他方の第２補強部材８４ａとを有する。
前記第２袋状部４４ｂを構成する第２主面部５４の幅方向における一端から幅方向にのびて形成される一方の第３補強部材８０ｂと、前記第２袋状部４４ｂを構成する第２主面部５４の幅方向における他端から幅方向にのびて形成され、前記一方の補強部材に係合可能に形成された他方の第４補強部材８４ｂとを有する。
【００７２】
第１補強部材８０ａと第４補強部材８４ｂは、略々同一の形状を有している。
第２補強部材８４ａと第３補強部材８０ｂは、略々同一の形状を有している。
第１袋状部４４ａを構成する第１補強部材８０ａは、右側の第１側縁部７２（第５境界７２ａ）を挟んで第２主面部５４に連続され、且つ第２補強部材８４ａは、左側の第２側縁部７４（第６境界７４ａ）を挟んで第２主面部５４に連続される。
第２袋状部４４ｂを構成する第３補強部材８０ｂは、右側の第１側縁部７２（第７境界７２ｂ）を挟んで第２主面部５４に連続され、且つ第４補強部材８４ｂは、左側の第２側縁部７４（第８境界７４ｂ）を挟んで第２主面部５４に連続される。
【００７３】
第１補強部材８０ａは、右側の第１側縁部７２から連続された、略台形状の第１側縁補強部８１と、前記第１側縁補強部８１から連続された、略帯状の第１上縁補強部８２とから構成されている。
第４補強部材８４ｂは、左側の第２側縁部７４から連続された、略台形状の第１側縁補強部８１と、前記第１側縁補強部８１から連続された、略帯状の第１上縁補強部８２とから構成されている。
第２補強部材８４ａは、左側の第２側縁部７４から連続された、略台形状の第２側縁補強部８５と、前記第２側縁補強部８５から連続された、略帯状の第２上縁補強部８６とから構成されている。
第３補強部材８０ｂは、右側の第１側縁部７２から連続された、略台形状の第２側縁補強部８５と、前記第２側縁補強部８５から連続された、略帯状の第２上縁補強部８６とから構成されている。
【００７４】
第１側縁補強部８１は、第１側縁補強部８１の上縁部８１ａと、第１側縁補強部８１の下縁部８１ｂと、第５境界７２ａ又は第７境界７２ｂとによって囲まれた、略台形状である。
第１側縁補強部８１の上縁部８１ａは、手前側の開口縁部９０及び向こう側の開口縁部９２と平行である。
第１側縁補強部８１の上縁部８１ａは、直線状であり、第１側縁部７２と斜交する。
第１側縁補強部８１の下縁部８１ｂは、直線状であり、第１境界６４ａ又は第３境界６４ｂと第５境界７２ａ又は第７境界７２ｂとの交点から、第１側縁補強部８１の上縁部８１ａ側に傾くように、第１側縁部７２と斜交する。
第２側縁補強部８５は、第２側縁補強部８５の上縁部８１ａと、第２側縁補強部８５の下縁部８１ｂと、第６境界７４ａ又は第８境界７４ｂとによって囲まれた、略台形状である。
第２側縁補強部８５の上縁部８５ａは、手前側の開口縁部９０及び向こう側の開口縁部９２と平行である。
第２側縁補強部８５の上縁部８５ａは、直線状であり、第１側縁部７２と斜交する。
第２側縁補強部８５の下縁部８５ｂは、直線状であり、第１境界６４ａ又は第３境界６４と第６境界７４ａ又は第８境界７４ｂとの交点から、第２側縁補強部８５の上縁部８５ａ側に傾くように、第２側縁部７４と斜交する。
【００７５】
第１上縁補強部８２は、第１上縁補強部８２の上縁部８２ａと、第１上縁補強部８２の下縁部８２ｂとによって形成された、略帯状である。
第１上縁補強部８２の上縁部８２ａは、手前側の開口縁部９０及び向こう側の開口縁部９２と平行である。
第１上縁補強部８２の上縁部８２ａは、直線状であり、第１側縁部７２と斜交する。
第１上縁補強部８２の上縁部８２ａは、第１側縁補強部８１の上縁部８１ａから連続したものであり、第１上縁補強部８２の上縁部８２ａと第１側縁補強部８１の上縁部８１ａとは、一直線上にある。
第１上縁補強部８２の下縁部８２ｂは、直線状であり、第１上縁補強部８２の上縁部８２ａと平行である。
第１上縁補強部８２は、第５境界７２ａ及び第７境界７２ｂにおいて、第１側縁補強部８１及び第１上縁補強部８２を構成する第１補強部材８０ａ及び第３補強部材８０ｂが、袋状部４４を第１主面部５２の収納部とは反対側の面、すなわち、第１主面部５２の第１補強部材８０ａ及び第３補強部材８０ｂが折り曲げられた側から正面視して、第１主面部５２の開口部側の端縁９０から一定の領域を覆う幅である。
【００７６】
第２上縁補強部８６は、第２上縁補強部８６の上縁部８６ａと、第２上縁補強部８６の下縁部８６ｂとによって形成された、略帯状である。
第２上縁補強部８６の上縁部８６ａは、手前側の開口縁部９０及び向こう側の開口縁部９２と平行である。
第２上縁補強部８６の上縁部８６ａは、直線状であり、第２側縁部７４と直交する。
第２上縁補強部８６の上縁部８６ａは、第２側縁補強部８５の上縁部８５ａから連続したものであり、第２上縁補強部８６の上縁部８６ａと第２側縁補強部８５の上縁部８５ａとは、一直線上にある。
第２上縁補強部８６は、第６境界７４ａにおいて、第２側縁補強部８５及び第２上縁補強部８６を構成する第２補強部材８４ａ及び第４補強部材８４ｂが、袋状部４４を第１主面部５２の収納部とは反対側、すなわち、第１主面部５２の第１補強部材８０ａ及び第３補強部材８０ｂが折り曲げられた側から正面視して、第１主面部５２の開口部側の端縁９０から一定の領域を覆う幅である。
【００７７】
第５境界７２ａ及び第７境界７２ｂにおいて折り曲げられた第１補強部材８０ａ及び第３補強部材８０ｂと、第６境界７４ａ及び第８境界７４ｂにおいて折り曲げられた第２補強部材８４ａ及び第４補強部材８４ｂとが、前記袋状部の幅方向における中央以外の部分で互いに係合される。
【００７８】
第１側縁補強部８１の上縁部８１ａと第１上縁補強部８２の上縁部８２ａで構成される第１補強部材８０ａ及び第４補強部材８４ｂの開口部側の端縁は、第１補強部材８０ａ及び第３補強部材８０ｂが、袋状部４４を第１主面部５２の収納部とは反対側、すなわち、第１主面部５２の第１補強部材８０ａ及び第４補強部材８４ｂが折り曲げられた側から正面視して、第１主面部５２の開口部側の端縁９０の近傍に位置する又は第１主面部５２の開口部側の端縁９０と重なるように、構成されている。
第２側縁補強部８５の上縁部８５ａと第２上縁補強部８６の上縁部８６ａで構成される第２補強部材８４ａ及び第３補強部材８０ｂの開口部側の端縁は、第２補強部材８４ａ及び第４補強部材８４ｂが、袋状部４４を第１主面部５２の収納部とは反対側、すなわち、第１主面部５２の第２補強部材８４ａ及び第３補強部材８０ｂが折り曲げられた側から正面視して、第１主面部５２の開口部側の端縁９０の近傍に位置する又は第１主面部５２の開口部側の端縁９０と重なるように、構成されている。
【００７９】
第１補強部材８０ａ及び第４補強部材８４ｂは、第１上縁補強部８２の上縁部８２ａに、第２補強部材８４ａ及び第３補強部材８０ｂと係合させるための第１係合溝８２ｃが穿設されている。
第２補強部材８４ａ及び第３補強部材８０ｂは、第２上縁補強部８６の下縁部８６ｂに、第１補強部材８０ａ及び第４補強部材８４ｂと係合させるための第２係合溝８６ｃが穿設されている。
第１係合溝８２ｃは、一方の補強部材（第１補強部材８０ａ及び第４補強部材８４ｂ）と他方の補強部材（第２補強部材８４ａ及び第３補強部材８０ｂ）が、袋状部４４の幅方向における中央付近で互いに係合可能に形成されている。
【００８０】
一方の補強部材（第１補強部材８０ａ及び第４補強部材８４ｂ）の開口部側の端縁と他方の補強部材（第２補強部材８４ａ及び第３補強部材８０ｂ）の開口部側の端縁は、第１主面部５２の収納部とは反対側の面において、正面視して部分的に重ね合わさって係合される。
一方の補強部材（第１補強部材８０ａ及び第４補強部材８４ｂ）の開口部側の端縁と他方の補強部材（第２補強部材８４ａ及び第３補強部材８０ｂ）の開口部側の端縁は、直線状であって、正面視して一直線上にあり、第１主面部５２の開口部側の端縁と平行である。
【００８１】
一方の補強部材（第１補強部材８０ａ及び第４補強部材８４ｂ）の開口部側の端縁と他方の補強部材（第２補強部材８４ａ及び第３補強部材８０ｂ）の開口部側の端縁は、第１主面部５２の収納部とは反対側の面において、正面視して部分的に重ね合っており、重ね合った部分で係合される。
一方の補強部材（第１補強部材８０ａ及び第４補強部材８４ｂ）の開口部側の端縁と他方の補強部材（第２補強部材８４ａ及び第３補強部材８０ｂ）の開口部側の端縁は、直線状であって、正面視して一直線上にあり、第１主面部５２の開口部側の端縁と平行である。
【００８２】
一方の補強部材（第１補強部材８０ａ及び第４補強部材８４ｂ）の開口部側の端縁と他方の補強部材（第２補強部材８４ａ及び第３補強部材８０ｂ）の開口部側の端縁が、第１主面部５２の開口部側の端縁９０の近傍に位置する又は第１主面部５２の開口部側の端縁９０と重なり、かつ、第１主面部５２の開口部側の端縁９０と平行である位置関係は、第１側縁部７２における、第１補強部材８０ａ及び第３補強部材８０ｂと第２主面部５４との第１連設部分７３、及び、第２側縁部７４における、第２補強部材８４ａ及び第４補強部材８４ｂと第２主面部５４との第２連設部分７５によって保持される。
【００８３】
本発明にかかる収納具の更に別の変形例としては、上述の実施例及び変形例において、最も向こう側のグループも他のグループと同じ構成である収納具がある。
【００８４】
表紙部２０は、次の構造を備える。
表胴部２２は、上縁２２ａと右側縁２２ｂと左側縁２２ｃと下縁２２ｄとを備える。
裏胴部２４は、上縁２４ａと右側縁２４ｂと左側縁２４ｃと下縁２４ｄとを備える。
蓋部３２は、右側縁３２ｂと左側縁３２ｃと下縁３２ｄとを備える。
表紙部２０は、表紙部材１２０により構成されている。
表紙部材１２０は、表胴部２２を構成する外側部１２２ａ及び内側部１２２ｂと、裏胴部２４を構成する外側部１２４ａ及び内側部１２４ｂと、表胴部２２を構成する内側部１２２ｂと裏胴部２４を構成する内側部１２４ｂとの間に介在する底部２６と、蓋部３２を構成する蓋部の外側部１３２ａ及び蓋部の内側部１３２ｂとを備える。
外側部１２２ａと内側部１２２ｂと底部２６と外側部１２４ａと内側部１２４ｂと蓋部の外側部１３２ａと蓋部の内側部１３２ｂとは、屈曲線１３０で区画されている。各屈曲線１３０は、各々平行に形成されている。
【００８５】
表胴部２２を構成する外側部１２２ａと内側部１２２ｂとは、略々同じ方形板状体であり、表胴部２２は、外側部１２２ａと内側部１２２ｂとの複数の層からなる積層構造体である。
裏胴部２４を構成する外側部１２４ａと内側部１２４ｂとは、方形板状体であり、裏胴部２４は、外側部１２４ａと内側部１２４ｂとの複数の層からなる積層構造体である。
底部２６は、表胴部２２及び裏胴部２４より小さな方形板状体である。
底部２６の手前側に屈曲線１３０ａを介して、表胴部２２を構成する外側部１２２ａが並列され、外側部１２２ａの手前側に屈曲線１３０ｂを介して、表胴部２２を構成する内側部１２２ｂが並列されている。
底部２６の向こう側に屈曲線１３０ｃを介して、裏胴部２４を構成する内側部１２４ｂが並列され、内側部１２４ｂの外側に裏胴部２４を構成する外側部１２４ａが積層されている。
【００８６】
表胴部２２の外側部１２２ａは、楕円、まゆ型、俵型の貫通孔１０２が穿設されている。
表胴部２２の内側部１２２ｂは、第１表紙固定部６０を嵌挿するためのスリット状の第１嵌挿部２８を形成されている。第１嵌挿部２８は、内側部１２２ｂの略中央において右側から左側にのびるように形成されている。第１嵌挿部２８は、表紙部２０の開口端縁側の近くに収納部４０の開口部４８が位置するように構成されている。
裏胴部２４の内側部１２４ｂは、第２表紙固定部６２を嵌挿するためのスリット状の第２嵌挿部３０を形成されている。第２嵌挿部３０は、内側部１２４ｂの略中央において右側から左側にのびるように形成されている。第２嵌挿部３０は、表紙部２０の開口端縁側の近くに収納部４０の開口部４８が位置するように構成されている。
【００８７】
表紙部材１２０は、蓋部３２を構成する天部３４と被せ部３６とを備える。
蓋部３２は、蓋部の外側部１３２ａと蓋部の内側部１３２ｂとを備える。
裏胴部２４と蓋部３２とは、屈曲線１３０で区画されている。
天部３４と裏胴部２４とは、屈曲線１３０ｄで区画され、天部３４と被せ部３６とは、屈曲線１３０ｅで区画されている。
蓋部の外側部１３２ａと蓋部の内側部１３２ｂとは、屈曲線１３０ｆで区画されている。
屈曲線１３０ａと屈曲線１３０ｂと屈曲線１３０ｃと屈曲線１３０ｄと屈曲線１３０ｅと屈曲線１３０ｆとは、各々平行に形成されている。
【００８８】
蓋部３２を構成する蓋部の外側部１３２ａと蓋部の内側部１３２ｂとは、略々同じ方形板状体であり、蓋部３２は、蓋部の外側部１３２ａと蓋部の内側部１３２ｂとの複数の層からなる積層構造体である。
天部３４は、蓋部の外側部１３２ａ及び蓋部の内側部１３２ｂなどより小さな方形板状体である。
裏胴部２４の向こう側に屈曲線１３０ｄを介して天部３４が並列されている。
天部３４の向こう側に屈曲線１３０ｅを介して被せ部３６が並列されている。
天部３４の向こう側に屈曲線１３０ｅを介して蓋部３２を構成する被せ部３６の外側部１３２ａが並列され、蓋部の外側部１３２ａの向こう側に屈曲線１３０ｆを介して蓋部３２を構成する被せ部３６の内側部１３２ｂが並列されている。
蓋部３２を構成する蓋部の内側部１３２ｂは、楕円、まゆ型、俵型の貫通孔１０２が穿設されている。
【００８９】
表胴部２２は、表胴部２２の上方である、上縁２２ａの近くに、被せ部３６を表胴部２２に止めるための留め具１４０を固定する留め具固定部１００が形成されている。
被せ部３６は、下縁３２ｄの近くに、被せ部３６を表胴部２２に止めるための留め具１５０を固定する留め具固定部１１０が形成されている。
【００９０】
一方の留め具１４０は、平面視、楕円、まゆ型、俵型などの面状ファスナ１４２からなり、他方の留め具１５０は、平面視、楕円、まゆ型、俵型などの面状ファスナ１５２からなる。
面状ファスナ１４２は、基材１４４と基材１４４の表側に形成された鉤ないしはきのこ状の係止部１４６とを備える。
面状ファスナ１５２は、基材１５４と基材１５４の表側に形成されたループ状係止部１８０とを備える。
留め具１４０は、表胴部２２の留め具固定部１００に、表側の鉤ないしはきのこ状の係止部１４６とは反対側の基材１４４の裏面にて固定される。
他方の留め具１５０は、被せ部３６の留め具固定部１１０に、表側のループ状係止部１８０とは反対側の基材１５４の裏面にて固定される。
そして、被せ部３６の留め具１５０の係止部１８０は、被せ部３６を閉じたとき、表胴部２２の留め具１４０の係止部１４６に係合される。
【００９１】
蓋部３２が閉じられたとき、天部３４は、底部２６と対向し、被せ部３６は、表胴部２２の表側に重ねられる。
被せ部３６の留め具１５０は、表胴部２２の留め具１４０に係合される。
【００９２】
表紙部材１２０により表紙部２０を形成する方法について、主として図１８〜図２１に基づいて説明する。
【００９３】
表胴部２２を構成する外側部１２２ａと内側部１２２ｂとは、略々同じ方形板状体であり、表胴部２２は、外側部１２２ａと内側部１２２ｂとの複数の層からなる積層構造体を形成するように構成されている。表胴部２２を構成する外側部１２２ａは、楕円、まゆ型、俵型の貫通孔１０２が穿設されている。
裏胴部２４を構成する外側部１２４ａと内側部１２４ｂとは、方形板状体であり、裏胴部２４は、外側部１２４ａと内側部１２４ｂとの複数の層からなる積層構造体を形成するように構成されている。
底部２６は、表胴部２２及び裏胴部２４より小さな方形板状体である。
底部２６の手前側に屈曲線１３０ａを介して、表胴部２２を構成する外側部１２２ａが並列され、外側部１２２ａの手前側に屈曲線１３０ｂを介して、表胴部２２を構成する内側部１２２ｂが並列されている。
【００９４】
表紙部材１２０は、蓋部３２を構成する天部３４と被せ部３６とを備える。
蓋部３２は、蓋部の外側部１３２ａと蓋部の内側部１３２ｂとを備える。
裏胴部２４と蓋部３２とは、屈曲線１３０で区画されている。
天部３４と裏胴部２４とは、屈曲線１３０ｄで区画され、天部３４と被せ部３６とは、屈曲線１３０ｅで区画されている。
蓋部の外側部１３２ａと蓋部の内側部１３２ｂとは、屈曲線１３０ｆで区画されている。
屈曲線１３０ａと屈曲線１３０ｂと屈曲線１３０ｃと屈曲線１３０ｄと屈曲線１３０ｅと屈曲線１３０ｆとは、各々平行に形成されている。
【００９５】
蓋部３２を構成する蓋部の外側部１３２ａと蓋部の内側部１３２ｂとは、略々同じ方形板状体であり、蓋部３２は、蓋部の外側部１３２ａと蓋部の内側部１３２ｂとの複数の層からなる積層構造体を形成するように構成されている。
天部３４は、蓋部の外側部１３２ａ及び蓋部の内側部１３２ｂなどより小さな方形板状体である。
裏胴部２４の向こう側に屈曲線１３０ｄを介して天部３４が並列されている。
天部３４の向こう側に屈曲線１３０ｅを介して被せ部３６が並列されている。
天部３４の向こう側に屈曲線１３０ｅを介して蓋部３２を構成する被せ部３６の外側部１３２ａが並列され、蓋部の外側部１３２ａの向こう側に屈曲線１３０ｆを介して蓋部３２を構成する被せ部３６の内側部１３２ｂが並列されている。
蓋部３２を構成する蓋部の内側部１３２ｂは、楕円、まゆ型、俵型の貫通孔１０２が穿設されている。
外側部１２２ａと内側部１２２ｂとは、その間の屈曲線１３０ｂで折り曲げて、接合されて表胴部２２を形成される。
外側部１２４ａと内側部１２４ｂとは、外側部１２４ａの内面と内側部１２４ｂの外面とを接着剤で接着するか超音波で溶着することにより接着されて、積層される。
蓋部の外側部１３２ａと蓋部の内側部１３２ｂとは、その間の屈曲線１３０ｆで折り曲げて、接合されて蓋部３２の被せ部３６を形成される。
【００９６】
一方の留め具固定部１００は、表胴部の外側部１２２ａに穿設された楕円、まゆ型、俵型の貫通孔１０２と表胴部の内側部１２２ｂの内面との間に、留め具１４０を固定するための面状ファスナ用凹部１０４を形成されてなる。
面状ファスナ用凹部１０４は、固定される面状ファスナ１４２の外形に対応した形状である。
他方の留め具固定部１１０は、蓋部の内側部１３２ｂに穿設された楕円、まゆ型、俵型の貫通孔１０２と蓋部の外側部１３２ａの内面との間に、留め具１５０を固定するための面状ファスナ用凹部１１４を形成されてなる。
面状ファスナ用凹部１１４は、固定される面状ファスナ１５２の外形に対応した形状である。
【００９７】
留め具１４０は、表胴部の内側部１２２ｂの予め設定された位置において、鉤ないしはきのこ状係止部１４６とは反対側の基材１４４の面を接着剤で接着するか超音波で溶着することにより接着して固定される。
留め具１５０は、蓋部の外側部１３２ａの予め設定された位置において、ループ状係止部１８０とは反対側の基材１５４の面を接着剤で接着するか超音波で溶着することにより接着して固定される。
留め具１４０を構成する面状ファスナ１４２は、面状ファスナ用凹部１０４から鉤ないしはきのこ状係止部１４６が露出している。
留め具１５０を構成する面状ファスナ１５２は、面状ファスナ用凹部１１４からループ状係止部１８０が露出している。
【００９８】
特に、前記蓋部３２の先端部である蓋部３２から前記蓋部３２において留め具１５０の面状ファスナ１５２が設けられる部分までの距離Ｌ1は、前記蓋部３２の先端部である蓋
部３２から前記表胴部２２において留め具１４０の面状ファスナ１４２が設けられる部分までの距離Ｌ2より長いので、蓋部３２を開けると、最初に表胴部２２と面状ファスナ１
４２との間に力が加わるので、蓋部３２において留め具１５０の面状ファスナ１５２が外れにくい。
すなわち、前記蓋部３２において留め具１５０の面状ファスナ１５２が設けられる部分は、前記表胴部２２において留め具１４０の面状ファスナ１４２が設けられる部分に対応する部分の内側の部分であるので、蓋部３２を開けると、最初に表胴部２２と面状ファスナ１４２との間に力が加わるので、蓋部３２において留め具１５０の面状ファスナ１５２が外れにくい。
【符号の説明】
【００９９】
１０  収納具
２０  表紙部
２２  表胴部
２２ａ，２４ａ  上縁
２２ｂ，２４ｂ  右側縁
２２ｃ，２４ｃ  左側縁
２２ｄ，２４ｄ  下縁
２４  裏胴部
２６  底部
２８  第１嵌挿部
３０  第２嵌挿部
３２  蓋部
３４  天部
３６  被せ部
４０  収納部
４４  袋状部
４４ａ  第１袋状部
４４ｂ  第２袋状部
４８  開口部
５０  収納部材
５２  第１主面部
５４  第２主面部
６０  第１表紙固定部
６２  第２表紙固定部
６４  底縁部
６４ａ  第１境界
６４ｂ  第３境界
７２  第１側縁部（右側）
７２ａ  第５境界
７２ｂ  第７境界
７４  第２側縁部（左側）
７４ａ  第６境界
７４ｂ  第８境界
８０ａ  第１補強部材
８０ｂ  第３補強部材
８１  第１側縁補強部
８１ａ  第１側縁補強部の上縁部
８１ｂ  第１側縁補強部の下縁部
８２  第１上縁補強部
８２ａ  第１上縁補強部の上縁部
８２ｂ  第１上縁補強部の下縁部
８２ｃ  第１係合溝
８４ａ  第２補強部材
８４ｂ  第４補強部材
８５  第２側縁補強部
８５ａ  第２側縁補強部の上縁部
８５ｂ  第２側縁補強部の下縁部
８６  第２上縁補強部
８６ａ  第２上縁補強部の上縁部
８６ｂ  第２上縁補強部の下縁部
８６ｃ  第２係合溝
９０  手前側の開口縁部
９０ａ  第２境界
９０ｂ  第４境界
９２  向こう側の開口縁部
９６  第１凹部
９８  第２凹部
１００，１１０  留め具固定部
１０２  貫通孔
１０４，１１４  面状ファスナ用凹部
１２０  表紙部材
１２２ａ  表胴部の外側部
１２２ｂ  表胴部の内側部
１２４ａ  裏胴部の外側部
１２４ｂ  裏胴部の内側部
１３０，１３０ａ，１３０ｂ，１３０ｃ，１３０ｄ，１３０ｅ，１３０ｆ  屈曲線
１３２ａ  蓋部の外側部
１３２ｂ  蓋部の内側部
１４０，１５０  留め具
１４２，１５２  面状ファスナ
１４４，１５４  基材
１４６，１８０  係止部
Ｘ  被収納物
【図１】
0005604537.tif 000002
【図２】
0005604537.tif 000003
【図３】
0005604537.tif 000004
【図４Ａ】
0005604537.tif 000005
【図４Ｂ】
0005604537.tif 000006
【図５】
0005604537.tif 000007
【図６】
0005604537.tif 000008
【図７】
0005604537.tif 000009
【図８】
0005604537.tif 000010
【図９】
0005604537.tif 000011
【図１０】
0005604537.tif 000012
【図１１】
0005604537.tif 000013
【図１２】
0005604537.tif 000014
【図１３】
0005604537.tif 000015
【図１４】
0005604537.tif 000016
【図１５Ａ】
0005604537.tif 000017
【図１５Ｂ】
0005604537.tif 000018
【図１６】
0005604537.tif 000019
【図１７】
0005604537.tif 000020
【図１８】
0005604537.tif 000021
【図１９】
0005604537.tif 000022
【図２０】
0005604537.tif 000023
【図２１】
0005604537.tif 000024
【図２２】
0005604537.tif 000025